(57)【要約】【課題】耐久性の向上と、小型化とを実現できる複合機を提供する【解決手段】読取ユニット８は、記録ユニット７に接近して記録ユニット７を上方から覆う第１位置と、記録ユニット７から離間して記録ユニット７の上方を開放する第２位置との間で、第１方向に延びる第１軸心Ｘ１周りで回動可能に記録ユニット７に連結されている。読取部３は、主走査方向に読取素子３Ｅが配列されたセンサ３Ｓと、センサ３Ｓを保持して副走査方向に移動する移動体３０と、を含む。複合機１は、記録ユニット７に対する読取ユニット８の回動を規制する第１作動状態と、記録ユニット７に対する読取ユニット８の回動を許容する第１非作動状態とに切り替わることが可能な第１ロック機構１００と、移動体３０の移動に連動して第１ロック機構１００を第１作動状態又は第１非作動状態に切り替える第１連動機構１３０と、をさらに備える。【選択図】図３
2017085491.tif 000002
【特許請求の範囲】
【請求項１】
原稿を支持する支持面を有し、前記支持面に支持された原稿の画像を読み取る読取部を収容する読取ユニットと、
前記読取ユニットよりも下方に設けられ、シートに画像を形成する画像形成部を収容する記録ユニットと、を備え、
前記読取ユニットは、前記記録ユニットに接近して前記記録ユニットを上方から覆う第１位置と、前記記録ユニットから離間して前記記録ユニットの上方を開放する第２位置との間で、第１方向に延びる第１軸心周りで回動可能に前記記録ユニットに連結され、
前記読取部は、主走査方向に読取素子が配列されたセンサと、前記センサを保持して副走査方向に移動する移動体と、を含む複合機であって、
前記記録ユニットに対する前記読取ユニットの回動を規制する第１作動状態と、前記記録ユニットに対する前記読取ユニットの回動を許容する第１非作動状態とに切り替わることが可能な第１ロック機構と、
前記移動体の移動に連動して前記第１ロック機構を前記第１作動状態又は前記第１非作動状態に切り替える第１連動機構と、をさらに備えていることを特徴とする複合機。
【請求項２】
前記第１連動機構は、前記移動体が前記副走査方向において所定の停止位置に停止する場合に、前記第１ロック機構を前記第１非作動状態から前記第１作動状態に切り替えるように構成されている請求項１記載の複合機。
【請求項３】
前記移動体の移動を制御する制御部と、
前記読取ユニットの使用開始を検出する検出手段と、をさらに備え、
前記制御部は、前記検出手段により前記読取ユニットの使用開始が検出された場合に、前記移動体を前記所定の停止位置に移動させる請求項２記載の複合機。
【請求項４】
前記読取ユニットよりも上方に設けられたカバー部をさらに備え、
前記カバー部は、前記支持面に接近して前記支持面を上方から覆う第３位置と、前記支持面から離間して前記支持面の上方を開放する第４位置との間で、前記第１方向に延びる第２軸心周りで回動可能に前記読取ユニットに連結され、
前記検出手段は、前記カバー部の前記第３位置から前記第４位置への回動を検出し、
前記制御部は、前記検出手段により前記カバー部の前記第３位置から前記第４位置への回動が検出された場合に、前記移動体を前記所定の停止位置に移動させる請求項３記載の複合機。
【請求項５】
前記第１ロック機構は、前記記録ユニットに設けられる被係合部と、前記読取ユニットから前記記録ユニットに向かって突出し、前記被係合部に係合する位置と、前記被係合部から離間する位置との間で揺動軸心周りに揺動するレバーと、を含み、
前記第１連動機構は、前記移動体から前記副走査方向と略平行に突出する突出部を含み、
前記第１連動機構は、前記移動体が前記副走査方向に移動して前記突出部が前記レバーに当接することにより、前記レバーを揺動させて前記被係合部に係合させる請求項１乃至４のいずれか１項記載の複合機。
【請求項６】
前記第１方向及び前記揺動軸心は、前記副走査方向と略平行に延びている請求項５記載の複合機。
【請求項７】
前記レバーは、前記揺動軸心から径外方向に離間する位置に形成された当接面を含み、
前記突出部の先端には、前記揺動軸心に交差するように傾斜し、前記当接面に当接して前記レバーを前記揺動軸心周りに揺動させる傾斜面が形成されている請求項５又は６記載の複合機。
【請求項８】
前記第１ロック機構及び前記第１連動機構は、前記第１軸心から前記主走査方向に離れた端部に設けられている請求項１乃至７のいずれか１項記載の複合機。
【請求項９】
原稿を支持する支持面を有し、前記支持面に支持された原稿の画像を読み取る読取部を収容する読取ユニットと、
前記読取ユニットよりも下方に設けられ、シートに画像を形成する画像形成部を収容する記録ユニットと、
前記読取ユニットよりも上方に設けられたカバー部と、を備え、
前記読取ユニットは、前記記録ユニットに接近して前記記録ユニットを上方から覆う第１位置と、前記記録ユニットから離間して前記記録ユニットの上方を開放する第２位置との間で、第１方向に延びる第１軸心周りで回動可能に前記記録ユニットに連結され、
前記カバー部は、前記支持面に接近して前記支持面を上方から覆う第３位置と、前記支持面から離間して前記支持面の上方を開放する第４位置との間で、前記第１方向に延びる第２軸心周りで回動可能に前記読取ユニットに連結され、
前記読取部は、主走査方向に読取素子が配列されたセンサと、前記センサを保持して副走査方向に移動する移動体と、を含む複合機であって、
前記読取ユニットに対する前記カバー部の回動を規制する第２作動状態と、前記読取ユニットに対する前記カバー部の回動を許容する第２非作動状態とに切り替わることが可能な第２ロック機構と、
前記移動体の移動に連動して前記第２ロック機構を前記第２作動状態又は前記第２非作動状態に切り替える第２連動機構と、をさらに備えていることを特徴とする複合機。
【発明の詳細な説明】
【技術分野】
【０００１】
本発明は複合機に関する。
【背景技術】
【０００２】
特許文献１に従来の複合機の一例である画像形成装置が開示されている。この画像形成装置は、読取ユニットと作像ユニットとプラテンカバーとを備えている。
【０００３】
読取ユニットは、原稿を支持するプラテンを有している。また、読取ユニットは、プラテンに支持された原稿の画像を読み取るフラットベッドスキャナを収容している。作像ユニットは、読取ユニットよりも下方に設けられている。また、作像ユニットは、記録紙に画像を記録する記録部を収容している。プラテンカバーは、読取ユニットよりも上方に設けられている。
【０００４】
読取ユニットは、作像ユニットに接近して作像ユニットを上方から覆う位置と、作像ユニットから離間して作像ユニットの上方を開放する位置との間で回動可能に作像ユニットに連結されている。プラテンカバーは、プラテンに接近してプラテンを上方から覆う位置と、プラテンから離間してプラテンの上方を開放する位置との間で回動可能に読取ユニットに連結されている。
【０００５】
また、この画像形成装置は、作像ユニットに対する読取ユニットの回動を規制可能なロック機構を備えている。このロック機構は、ハンドルが手動操作され、揺動レバーやリンク等が変位することによって、作像ユニットに対する読取ユニットの回動を規制する作動状態と、作像ユニットに対する読取ユニットの回動を許容する非作動状態とに切り替わる。
【０００６】
さらに、この画像形成装置は、読取ユニットに対するプラテンカバーの回動を規制可能な別のロック機構を上記のロック機構よりも上方に備えている。このロック機構も、上記のロック機構と同様に、ハンドルが手動操作され、揺動レバーやリンク等が変位することによって、読取ユニットに対するプラテンカバーの回動を規制する作動状態と、読取ユニットに対するプラテンカバーの回動を許容する非作動状態とに切り替わる。
【０００７】
こうして、この画像形成装置では、読取ユニットやプラテンカバーの不要な回動による破損を抑制し、耐久性の向上を図っている。
【先行技術文献】
【特許文献】
【０００８】
【特許文献１】特許第３６４４３７６号公報
【発明の概要】
【発明が解決しようとする課題】
【０００９】
しかしながら、上記従来の画像形成装置では、作像ユニットと読取ユニットとの間や、読取ユニットとプラテンカバーとの間に、複雑な構造であるロック機構や、そのようなロック機構を操作するハンドル等を設けるための大きなスペースを確保する必要があり、装置の小型化が難しいという問題がある。
【００１０】
本発明は、上記従来の実情に鑑みてなされたものであって、耐久性の向上と、小型化とを実現できる複合機を提供することを目的とする。
【課題を解決するための手段】
【００１１】
本発明の複合機は、原稿を支持する支持面を有し、前記支持面に支持された原稿の画像を読み取る読取部を収容する読取ユニットと、
前記読取ユニットよりも下方に設けられ、シートに画像を形成する画像形成部を収容する記録ユニットと、を備え、
前記読取ユニットは、前記記録ユニットに接近して前記記録ユニットを上方から覆う第１位置と、前記記録ユニットから離間して前記記録ユニットの上方を開放する第２位置との間で、第１方向に延びる第１軸心周りで回動可能に前記記録ユニットに連結され、
前記読取部は、主走査方向に読取素子が配列されたセンサと、前記センサを保持して副走査方向に移動する移動体と、を含む複合機であって、
前記記録ユニットに対する前記読取ユニットの回動を規制する第１作動状態と、前記記録ユニットに対する前記読取ユニットの回動を許容する第１非作動状態とに切り替わることが可能な第１ロック機構と、
前記移動体の移動に連動して前記第１ロック機構を前記第１作動状態又は前記第１非作動状態に切り替える第１連動機構と、をさらに備えていることを特徴とする。
【００１２】
本発明の複合機では、上記構成である第１ロック機構及び第１連動機構により、記録ユニットに対する読取ユニットの回動を使用状況等に応じて効果的に規制できるので、読取ユニットの不要な回動による破損を抑制できる。
【００１３】
また、第１連動機構が既存の移動体の移動を利用することにより、第１ロック機構及び第１連動機構を簡素化できるとともに、第１ロック機構を手動操作するためのハンドル等を設ける必要がない。
【００１４】
したがって、本発明の複合機では、耐久性の向上と、小型化とを実現できる。
【００１５】
本発明の別の複合機は、原稿を支持する支持面を有し、前記支持面に支持された原稿の画像を読み取る読取部を収容する読取ユニットと、
前記読取ユニットよりも下方に設けられ、シートに画像を形成する画像形成部を収容する記録ユニットと、
前記読取ユニットよりも上方に設けられたカバー部と、を備え、
前記読取ユニットは、前記記録ユニットに接近して前記記録ユニットを上方から覆う第１位置と、前記記録ユニットから離間して前記記録ユニットの上方を開放する第２位置との間で、第１方向に延びる第１軸心周りで回動可能に前記記録ユニットに連結され、
前記カバー部は、前記支持面に接近して前記支持面を上方から覆う第３位置と、前記支持面から離間して前記支持面の上方を開放する第４位置との間で、前記第１方向に延びる第２軸心周りで回動可能に前記読取ユニットに連結され、
前記読取部は、主走査方向に読取素子が配列されたセンサと、前記センサを保持して副走査方向に移動する移動体と、を含む複合機であって、
前記読取ユニットに対する前記カバー部の回動を規制する第２作動状態と、前記読取ユニットに対する前記カバー部の回動を許容する第２非作動状態とに切り替わることが可能な第２ロック機構と、
前記移動体の移動に連動して前記第２ロック機構を前記第２作動状態又は前記第２非作動状態に切り替える第２連動機構と、をさらに備えていることを特徴とする。
【００１６】
本発明の別の複合機では、上記構成である第２ロック機構及び第２連動機構により、読取ユニットに対するカバー部の回動を使用状況等に応じて効果的に規制できるので、カバー部の不要な回動による破損を抑制できる。
【００１７】
また、第２連動機構が既存の移動体の移動を利用することにより、第２ロック機構及び第２連動機構を簡素化できるとともに、第２ロック機構を手動操作するためのハンドル等を設ける必要がない。
【００１８】
したがって、本発明の別の複合機でも、耐久性の向上と、小型化とを実現できる。
【図面の簡単な説明】
【００１９】
【図１】実施例１の複合機の斜視図である。
【図２】実施例１の複合機の模式正面図である。
【図３】実施例１の複合機の模式部分断面図である。
【図４】第１位置にある読取ユニットと、第４位置に回動したカバー部とを主に示す部分斜視図である。
【図５】第１位置にある読取ユニットと、第４位置に回動したカバー部とを示す側面図である。
【図６】第２位置に回動した読取ユニットと、第３位置にあるカバー部とを示す側面図である。
【図７】実施例１の複合機のブロック図である。
【図８】図３のＡ−Ａ断面を示す部分断面図である。
【図９】図８のＢ−Ｂ断面を示す部分斜視図である。
【図１０】図９と同様の断面を示す部分斜視図である。
【図１１】第１ロック機構及び第１連動機構の制御プログラムのフローチャートである。
【図１２】実施例２の複合機の模式部分断面図である。
【図１３】第１位置にある読取ユニットと、第３位置にあるカバー部とを示す側面図である。
【図１４】第１位置にある読取ユニットと、第４位置に回動したカバー部と、第２ロック機構とを主に示す部分斜視図である。
【図１５】第２ロック機構及び第２連動機構の制御プログラムのフローチャートである。
【発明を実施するための形態】
【００２０】
以下、本発明を具体化した実施例１、２を図面を参照しつつ説明する。
【００２１】
（実施例１）
図１に示すように、実施例１の複合機１は、本発明の複合機の具体的態様の一例である。図１では、操作パネル７Ｐが配置される側を装置の前方と規定し、操作パネル７Ｐに向かった場合に左手に来る側を左方と規定して、前後、左右及び上下の各方向を表示する。そして、図２以降の各図に示す各方向は、全て図１に示す各方向に対応させて表示する。以下、図１等に基づいて、複合機１が備える各構成要素について説明する。
【００２２】
＜全体構成＞
図１〜図７に示すように、複合機１は、読取ユニット８、記録ユニット７及びカバー部９を備えている。図１及び図２に示すように、記録ユニット７及び読取ユニット８はそれぞれ、扁平な略箱状体である。記録ユニット７は、読取ユニット８よりも下方に設けられている。カバー部９は、読取ユニット８よりも上方に設けられている。すなわち、記録ユニット７、読取ユニット８及びカバー部９が上下方向に積み重なった状態になっている。
【００２３】
図１及び図４〜図６に示すように、読取ユニット８は、左右方向に延びる第１軸心Ｘ１周りで回動可能に記録ユニット７に連結されている。カバー部９は、左右方向に延びる第２軸心Ｘ２周りで回動可能に読取ユニット８に連結されている。第１、２軸心Ｘ１、Ｘ２が延びる左右方向は、本発明の「第１方向」の一例である。
【００２４】
読取ユニット８は、図１〜図５に示す第１位置と、図６に示す第２位置との間で回動する。読取ユニット８は、図１〜図５に示す第１位置にある状態で、記録ユニット７に接近して記録ユニット７を上方から覆う。その一方、読取ユニット８は、図６に示す第２位置にある状態で、記録ユニット７から離間して記録ユニット７の上方を開放する。図２に示すように、読取ユニット８内には、読取部３が収容されている。
【００２５】
カバー部９は、図１〜図３及び図６に示す第３位置と、図４及び図５に示す第４位置との間で回動する。カバー部９は、図１〜図３及び図６に示す第３位置にある状態で、後述する支持面８１Ａに接近して支持面８１Ａを上方から覆う。その一方、カバー部９は、図４及び図５に示す第４位置にある状態で、支持面８１Ａから離間して支持面８１Ａの上方を開放する。これにより、ユーザは読取対象の原稿を支持面８１Ａに支持させることができる。図２及び図３に示すように、カバー部９には、搬送部４が設けられている。
【００２６】
記録ユニット７内には、画像形成部５が収容されている。画像形成部５は、インクジェット方式又はレーザ方式等によりシートに画像を形成する。図１に示すように、記録ユニット７の上面は、記録ユニット７内の画像形成部５によって画像が形成されたシートが排出される排出部７Ａを構成している。また、排出部７Ａと読取ユニット８の下面との間には空間が形成されており、ユーザが排出部７Ａに排出されたシートを取り出すための取出口７Ｂとなっている。取出口７Ｂの上方であって、記録ユニット７の前面には、操作パネル７Ｐが設けられている。読取ユニット８が図６に示す第２位置に回動すると、記録ユニット７の上面であって、排出部７Ａの後方となる位置に開口する図示しないメンテナンス領域が開放される。この開口を介して、画像形成部５のメンテナンス作業を実施可能となる。
【００２７】
図５〜図７に示すように、複合機１は、制御部Ｃ１、操作パネル７Ｐ、読取ユニット開閉センサＳ１及びカバー部開閉センサＳ２を備えている。操作パネル７Ｐ、読取ユニット開閉センサＳ１及びカバー部開閉センサＳ２は、本発明の「検出手段」の一例である。制御部Ｃ１、操作パネル７Ｐ及び読取ユニット開閉センサＳ１は、記録ユニット７に設けられている。カバー部開閉センサＳ２は、読取ユニット８に設けられている。なお、本実施例においては、読取ユニット開閉センサＳ１及びカバー部開閉センサＳ２は、図５、図６等に示すように、第１回動軸心Ｘ１に近い位置、すなわち、複合機１の後端寄りに設けられているが、これらのセンサの位置は、他の位置であってもよい。
【００２８】
図７に示すように、制御部Ｃ１は、ＣＰＵ等からなる制御回路であり、ＲＯＭ及びＲＡＭ等の情報記憶手段に記憶されている各種情報を用いながら、画像形成部５、読取部３、搬送部４及び操作パネル７Ｐ等の制御を行う。また、制御部Ｃ１には、読取ユニット開閉センサＳ１及びカバー部開閉センサＳ２の検出信号が伝達される。
【００２９】
操作パネル７Ｐに対しては、複合機１を操作するための各種情報が表示される。また、操作パネル７Ｐに対して、ユーザが入力操作を行うことが可能に構成されている。例えば、本実施例では、操作パネル７Ｐを介して、読取部３を作動させる「読取モード」と、画像形成部５を作動させる「印刷モード」とを切り替える入力操作を行うことが可能である。操作パネル７Ｐに対して、「読取モード」に切り替える入力操作が行われた場合、読取ユニット８の使用が想定されるため、操作パネル７Ｐから制御部Ｃ１にその旨の信号が伝達される。また、操作パネル７Ｐには、「読取モード」又は「印刷モード」の各種設定や稼働状況等が適宜表示されるとともに、それらに対する入力操作が行われる。
【００３０】
図５及び図６に示すように、読取ユニット開閉センサＳ１は、読取ユニット８の第１位置から第２位置への回動を検出する。より詳しくは、読取ユニット開閉センサＳ１は、読取ユニット８が例えば、１°〜数°程度の微小な角度で第１位置から第２位置に向かって回動することを検出し、その検出信号を制御部Ｃ１に伝達する。
【００３１】
図４〜図６に示すように、カバー部開閉センサＳ２は、カバー部９の第３位置から第４位置への回動を検出する。より詳しくは、カバー部開閉センサＳ２は、カバー部９が例えば、１°〜数°程度の微小な角度で第３位置から第４位置に向かって回動することを検出し、その検出信号を制御部Ｃ１に伝達する。
【００３２】
図１〜図６に示すように、読取ユニット８は、スキャナハウジング８０を有している。図３及び図４に示すように、スキャナハウジング８０は、底壁部を有し、かつ前後左右に壁を備えた浅い箱形状のスキャナベース８５を備えている。スキャナベース８５の上方は開放されている。また、スキャナハウジング８０は、スキャナベース８５を上方から覆うスキャナフレーム８７を備えている。スキャナフレーム８７は、中央部に後述する開口を備える枠形状である。スキャナハウジング８０は、スキャナベース８５とスキャナフレーム８７とが組み合わされてなる。スキャナベース８５とスキャナフレーム８７とは、図３及び図４に示す第１プラテンガラス８１及び第２プラテンガラス８２を挟持した状態で組み合わされる。第１プラテンガラス８１及び第２プラテンガラス８２は、スキャナフレーム８７に形成された開口から露出し、読取ユニット８の上面に位置する。
【００３３】
スキャナフレーム８７には、第１開口８７Ａと第２開口８７Ｂとが形成されている。第１開口８７Ａは、前後方向及び左右方向に延在する大面積の矩形状の開口である。第２開口８７Ｂは、第１開口８７Ａに対して左方に位置している。第２開口８７Ｂは、前後方向に長く延在し、かつ左右方向に短く延在する細長い矩形状の開口である。
【００３４】
第１プラテンガラス８１の第１開口８７Ａから露出する上面によって、支持面８１Ａが形成されている。第２プラテンガラス８２の第２開口８７Ｂから露出する上面によって、読取面８２Ａが形成されている。
【００３５】
図２〜図４及び図８に示すように、読取ユニット８は、読取部３をスキャナハウジング８０内に収容している。読取部３は、読取センサ３Ｓ、キャリッジ３０及び図示しない走査機構を含んでいる。読取センサ３Ｓ、キャリッジ３０及び走査機構は、スキャナハウジング８０内で前後左右が壁によって区画された移動空間内に収容されている。読取センサ３Ｓは、本発明の「センサ」の一例である。キャリッジ３０は、本発明の「移動体」の一例である。
【００３６】
図４及び図８に示すように、読取センサ３Ｓの上面には、主走査方向に読取素子３Ｅが配列されている。主走査方向は、本実施例では前後方向である。読取センサ３Ｓとしては、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等の周知の画像読取センサが採用される。
【００３７】
キャリッジ３０は、読取センサ３Ｓを保持している。図示しない走査機構は、モータ、プーリ及びタイミングベルト等を有する周知のものである。図示しない走査機構のモータが制御部Ｃ１に制御されて回転すると、その回転駆動力がプーリ及びタイミングベルト等を介してキャリッジ３０に伝達される。こうして、図３及び図４に示すように、キャリッジ３０は、制御部Ｃ１に制御されて、読取センサ３Ｓを保持した状態で、支持面８１Ａ及び読取面８２Ａの下方を副走査方向に往復移動する。副走査方向は、本実施例では左右方向である。
【００３８】
図３に実線で示すように、読取センサ３Ｓを読取面８２Ａの下で停止させるキャリッジ３０の位置Ｐ１は、静止読取位置である。図３に二点鎖線で示すように、読取センサ３Ｓをスキャナハウジング８０内の左端で停止させるキャリッジ３０の位置Ｐ２は、所定の停止位置である。図８に示すキャリッジ３０の位置も、所定の停止位置Ｐ２である。図３に矢印のみで示すように、読取センサ３Ｓを支持面８１Ａと読取面８２Ａと間で停止させるキャリッジ３０の位置Ｐ０は、待機位置である。
【００３９】
支持面８１Ａは、静止した状態の原稿の画像を読取センサ３Ｓが読み取る際に、その原稿を下から支持する。読取対象の原稿には、用紙、ＯＨＰシート等であるシートの他、書籍等が含まれる。読取面８２Ａは、搬送部４によって１枚ずつ搬送されるシートＳＨの画像を静止読取位置Ｐ１に停止したキャリッジ３０に保持された読取センサ３Ｓが読み取る際に、その搬送されるシートＳＨを下から案内する。
【００４０】
図２及び図３に示すように、カバー部９には、搬送部４が設けられている。搬送部４は、供給トレイ９１、排出トレイ９２を有している。供給トレイ９１と排出トレイ９２とは、カバー部９の右部分に配設されている。排出トレイ９２は、供給トレイ９１よりも下方に位置している。
【００４１】
図３に示すように、搬送部４は、供給ローラ４１、分離ローラ４２、分離パッド４２Ａ、第１搬送ローラ対４３Ａ、４３Ｂ、第２搬送ローラ対４４Ａ、４４Ｂ及び排出ローラ対４５Ａ、４５Ｂを有している。
【００４２】
供給トレイ９１は、搬送部４によって搬送される読取対象のシートＳＨを下から支持する。供給ローラ４１、分離ローラ４２及び分離パッド４２Ａは、供給トレイ９１に支持されたシートＳＨを１枚ずつ分離して搬送経路Ｐ１の下流に向けて順次送り出す。第１搬送ローラ対４３Ａ、４３Ｂ及び第２搬送ローラ対４４Ａ、４４Ｂは、そのシートＳＨを搬送経路Ｐ１に沿って搬送し、静止読取位置Ｐ１に停止した読取センサ３Ｓの上方を通過させる。排出ローラ対４５Ａ、４５Ｂは、読取センサ３Ｓの上方を通過したシートＳＨを排出トレイ９２に排出する。
【００４３】
＜画像読取動作＞
この複合機１では、後述する第１ロック機構１００及び第１連動機構１３０の状態を複合機１の動作モードや使用状況に応じて切り替えている。そのため、画像読取動作を実行していない間は、図３に示すように、制御部Ｃ１は、図示しない走査機構を制御し、キャリッジ３０を待機位置Ｐ０、又は所定の停止位置Ｐ２に位置させる。
【００４４】
そして、読取センサ３Ｓが支持面８１Ａに支持された原稿の画像を読み取る場合、制御部Ｃ１は、図示しない走査機構を制御し、キャリッジ３０を支持面８１Ａの左端縁の下方に位置する読取開始位置から右端縁の下方に位置する読取終了位置までの間で左右方向に移動させる。これにより、キャリッジ３０に保持された読取センサ３Ｓは、支持面８１Ａに支持された原稿の画像を読み取る。
【００４５】
また、読取センサ３Ｓが供給トレイ９１上のシートＳＨの画像を読み取る場合、制御部Ｃ１は、図示しない走査機構を制御し、キャリッジ３０を静止読取位置Ｐ１に停止させる。そして、制御部Ｃ１が搬送部４を制御し、搬送部４は、供給トレイ９１上のシートＳＨを搬送経路Ｐ１に沿って搬送する。これにより、シートＳＨが読取面８２Ａに接触しながら静止読取位置Ｐ１にある読取センサ３Ｓの上方を通過するので、読取センサ３Ｓがその通過するシートＳＨの画像を読み取る。そして、搬送部４は、画像が読み取られたシートＳＨを搬送し、排出トレイ９２に排出する。
【００４６】
＜第１ロック機構及び第１連動機構の構成＞
図３〜図６及び図８〜図１０に示すように、複合機１は、記録ユニット７に対する読取ユニット８の回動を複合機１の使用状況等に応じて規制するため、第１ロック機構１００と第１連動機構１３０とをさらに備えている。図４〜図６及び図８に示すように、第１ロック機構１００及び第１連動機構１３０は、複合機１における第１軸心Ｘ１から主走査方向に離れた端部に、すなわち、読取ユニット８及び記録ユニット７の前端部に設けられている。また、本実施例では、第１ロック機構１００及び第１連動機構１３０は、読取ユニット８及び記録ユニット７の左端部に設けられている。
【００４７】
第１ロック機構１００は、図３、図５及び図６に示す被係合部１０７と、図３、図５、図６及び図８〜図１０に示すレバー１１０とを含んでいる。
【００４８】
図３、図５及び図６に示すように、被係合部１０７は、記録ユニット７の前端部であって、記録ユニット７の左側面に隣接する位置に配設されている。被係合部１０７は、記録ユニット７の上面から上向きに突出した後、後向きに屈曲する略鍵爪状の突起である。
【００４９】
図３、図５、図６及び図８に示すように、レバー１１０は、読取ユニット８の前端部であって、読取ユニット８の左側面に隣接する位置に配設されている。図８〜図１０に示すように、スキャナベース８５の底壁部には、一対のレバー支持部８５Ｍ、８５Ｎが上向きに突設されている。レバー支持部８５Ｍ、８５Ｎは、間隔を有して左右方向に並んで形成されている。また、両レバー支持部８５Ｍ、８５Ｎの間には、開口部８５Ｈが貫設されている。開口部８５Ｈは、スキャナベース８５の底壁部を上下方向に貫通している。この開口部８５Ｈ内に、レバー１１０が挿通される。両レバー支持部８５Ｍ、８５Ｎは、後述するレバー１１０の揺動軸心Ｘ１１０を規定している。本実施例では、第１方向及び揺動軸心Ｘ１１０は、左右方向である副走査方向と略平行に延びている。
【００５０】
レバー１１０は、基部１１１、軸部１１２、ストッパ部１１４、係合部１１７及び当接面１１５を含んでいる。
【００５１】
基部１１１は、図９に示す位置において、上下方向に柱状に延びている。基部１１１は、その上端部が開口部８５Ｈよりも上方に位置し、その中間部が開口部８５Ｈを通過し、その下端部が開口部８５Ｈよりも下方に位置し、記録ユニット７に向かって突出している。
【００５２】
軸部１１２は、基部１１１の上端部から左方と右方とに突出する円柱軸である。レバー１１０は、２つの軸部１１２がレバー支持部８５Ｍ、８５Ｎにそれぞれ支持されることにより、揺動軸心Ｘ１１０周りに揺動可能となっている。図８に示すように、右方の軸部１１２と、スキャナベース８５の底壁部との間には、捻りコイルバネ１１０Ｓが配設されている。捻りコイルバネ１１０Ｓは、基部１１１の下端部を後向きに変位させるように、具体的には、図９に示す位置から図１０に示す位置に変位させるように、レバー１１０を付勢している。
【００５３】
図９及び図１０に示すように、ストッパ部１１４は、基部１１１の中間部の後面から後向きに突出する突起である。ストッパ部１１４は、基部１１１の下端部が捻りコイルバネ１１０Ｓに付勢力されて後向きに変位する場合に、図１０に示すように、開口部８５Ｈの後縁を規定する内壁面８５Ｋに当て止まって、レバー１１０の揺動範囲を規制する。
【００５４】
図９及び図１０に示すように、係合部１１７は、基部１１１の下端部から前向きに屈曲して前方に延び、さらに上向きに屈曲している。図９及び図１０では、記録ユニット７の被係合部１０７の図示を省略しているが、係合部１１７と被係合部１０７との相対関係は、図３、図５及び図６に示す通りである。レバー１１０は、図１０に示す位置から図９に示す位置に揺動する間に、被係合部１０７と係合する。レバー１１０が揺動する途中において、係合部１１７が被係合部１０７との係合の妨げにならないように、係合部１１７あるいは被係合部１０７には、面取り等の加工が施されている。
【００５５】
図９に示すように、基部１１１の下端部が捻りコイルバネ１１０Ｓの付勢力に抗して前向きに変位すると、レバー１１０は、係合部１１７が被係合部１０７に係合する位置に揺動する。係合部１１７が被係合部１０７に係合する位置にレバー１１０が揺動することによって、記録ユニット７に対する読取ユニット８の回動が規制された状態を、図５に示す。レバー１１０が図５、図８及び図９に示す状態にある場合、第１ロック機構１００は、第１作動状態となっている。この第１作動状態で、読取ユニット８が記録ユニット７に対して持ち上がる方向への移動が規制される。
【００５６】
その一方、図１０に示すように、基部１１１の下端部が捻りコイルバネ１１０Ｓに付勢されて後向きに変位すると、レバー１１０は、係合部１１７が被係合部１０７から離間する位置に揺動する。係合部１１７が被係合部１０７から離間する位置にレバー１１０が揺動したことによって、記録ユニット７に対する読取ユニット８の回動が許容された状態を、図６に示す。レバー１１０が図６及び図１０に示す状態にある場合、第１ロック機構１００は、第１非作動状態となっている。この第１非作動状態で、読取ユニット８が記録ユニット７に対して持ち上がる方向への移動が許容される。
【００５７】
図８〜図１０に示すように、当接面１１５は、基部１１１の上端部の前面に形成されている。当接面１１５は、揺動軸心Ｘ１１０から径外方向に、すなわち、前方に離間する位置において、上方、かつ前方に延びる傾斜面である。この傾斜面（当接面１５）は、基部１１１における開口部８５Ｈよりも上方に位置する範囲において延設されている。
【００５８】
図３、図４、図８及び図９に示すように、第１連動機構１３０は、突出部１３１を含んでいる。突出部１３１は、キャリッジ３０の左側面から副走査方向と略平行に、すなわち左向きに突出している。図８及び図９に示すように、柱状に延びる突出部１３１の先端には、傾斜面１３５が形成されている。傾斜面１３５は、揺動軸心Ｘ１１０に交差するように、左方、かつ前方に向かって傾斜している。すなわち、傾斜面１３５は、突出部１３１の先端に向かうに従って、レバー１１０から離れるように傾斜している。
【００５９】
キャリッジ３０が図３及び図８に示す所定の停止位置Ｐ２に変位すると、図８及び図９に示すように、突出部１３１の傾斜面１３５は、当接面１１５に当接してレバー１１０を揺動軸心Ｘ１１０周りに揺動させる。その結果、係合部１１７が被係合部１０７に係合する位置にレバー１１０が揺動し、第１ロック機構１００が図５、図８及び図９に示す第１作動状態となる。
【００６０】
その一方、キャリッジ３０が図３及び図８に示す所定の停止位置Ｐ２から右方に離間すると、傾斜面１３５も右方に退避して当接面１１５に当接しなくなり、捻りコイルバネ１１０Ｓがレバー１１０を揺動軸心Ｘ１１０周りに逆方向に揺動させる。その結果、係合部１１７が被係合部１０７から離間する位置にレバー１１０が揺動し、第１ロック機構１００が図６及び図１０に示す第１非作動状態となる。
【００６１】
制御部Ｃ１は、このような構成である第１ロック機構１００及び第１連動機構１３０を図１１に示す制御プログラムによって制御する。複合機１の電源スイッチがＯＮになり、複合機１が起動すると、制御部Ｃ１は、図１１に示す制御プログラムを開始する。
【００６２】
まず、ステップＳ１０１において、キャリッジ３０を図３に示す待機位置Ｐ０に移動させる。これにより、突出部１３１の傾斜面１３５が当接面１１５に当接しなくなり、係合部１１７が被係合部１０７から離間する位置にレバー１１０が揺動する。その結果、第１ロック機構１００が図６及び図１０に示す第１非作動状態に切り替わる。
【００６３】
次に、ステップＳ１０２において、制御部Ｃ１は、操作パネル７Ｐからの入力信号を参照し、「読取モード」が選択されたか否かを判断する。ステップＳ１０２において「Ｙｅｓ」の場合、ステップＳ１０３に移行する。その一方、ステップＳ１０２において「Ｎｏ」の場合、ステップＳ１０５に移行する。なお、複合機１では、「読取モード」以外に、例えば、「印刷モード」あるいは「コピーモード」といった複数のモードが指定可能であるが、図１１に示す制御プログラムでは、「読取モード」を中心とした処理に着目して説明する。
【００６４】
「読取モード」が選択され、ステップＳ１０２からステップＳ１０３に移行すると、制御部Ｃ１は、キャリッジ３０を図３及び図８に示す所定の停止位置Ｐ２に移動させる。これにより、突出部１３１の傾斜面１３５が当接面１１５に当接し、係合部１１７が被係合部１０７に係合する位置にレバー１１０が揺動する。その結果、第１ロック機構１００が図５、図８及び図９に示す第１作動状態に切り替わる。つまり、複合機１が「読取モード」となっている場合、記録ユニット７内の画像形成部５をメンテナンスする可能性が低く、読取ユニット８を第１位置から第２位置に回動させる可能性が低い。その一方、「読取モード」では、読取対象の原稿を支持面８１Ａにセットするために、カバー部９を第３位置から第４位置に回動させる可能性が高い。そして、この際、カバー部９が勢いよく回動されること等に伴って、読取ユニット８が不要に回動するおそれがある。このため、ステップＳ１０３において、第１ロック機構１００が図５、図８及び図９に示す第１作動状態に切り替わることにより、「読取モード」において読取ユニット８の不要な回動を抑制できる。
【００６５】
次に、ステップＳ１０３からステップＳ１０４に移行する。そして、操作パネル７Ｐに対する入力操作等によって画像読取動作の実行指令を受けると、制御部Ｃ１は、キャリッジ３０を移動させ、指定された読取動作を実行する。具体的には、第１プラテンガラス８１の支持面８１Ａに支持されている原稿を読み取る場合には、支持面８１Ａの左端縁の下方に位置する読取開始位置から右端縁の下方に位置する読取終了位置までの間で左右方向にキャリッジ３０を移動させ、画像読取動作を実行する。一方、搬送部４によって搬送されるシートＳＨを読み取る場合には、図３に示す静止読取位置Ｐ１にキャリッジ３０を移動させ、画像読取動作を実行する。このようなキャリッジ３０の移動により、突出部１３１の傾斜面１３５が当接面１１５に当接しなくなり、係合部１１７が被係合部１０７から離間する位置にレバー１１０が揺動する。その結果、第１ロック機構１００が図６及び図１０に示す第１非作動状態に切り替わる。そして、画像読取動作の終了後、ステップＳ１０１に戻る。画像読取動作の実行中においては、ユーザがカバー部９や読取ユニット８を回動させる可能性は低い。そのため、第１ロック機構１００が第１非作動状態となっても問題ない。
【００６６】
一方、ステップＳ１０２からステップＳ１０５に移行すると、制御部Ｃ１は、カバー部開閉センサＳ２の検出信号を参照し、カバー部９が第３位置から第４位置に回動するか否かを判断する。ステップＳ１０５において「Ｙｅｓ」の場合、ステップＳ１０６に移行する。その一方、ステップＳ１０５において「Ｎｏ」の場合、ステップＳ１０２に移行する。
【００６７】
ステップＳ１０５からステップＳ１０６に移行すると、制御部Ｃ１は、キャリッジ３０を図３及び図８に示す所定の停止位置Ｐ２に移動させる。これにより、突出部１３１がレバー１１０に作用し、第１ロック機構１００が図５、図８及び図９に示す第１作動状態に切り替わる。例えば、ユーザによっては、操作パネル７Ｐを介して「読取モード」を選択する前に、カバー部９を開放して支持面８１Ａに原稿をセットすることが考えられる。そこで、カバー部開閉センサＳ２がカバー部９の回動を検出した場合、ステップＳ１０６において、第１ロック機構１００を第１作動状態に切り替える。これにより、カバー部９が第３位置から第４位置に向かって勢いよく回動される場合でも、それに伴って、読取ユニット８が不要に回動することを抑制できる。そして、ステップＳ１０２に戻る。
【００６８】
制御部Ｃ１は、複合機１の電源スイッチがＯＦＦになるまで、図１１に示す制御プログラムを実行する。
【００６９】
＜作用効果＞
実施例１の複合機１では、図５、図６及び図８〜図１１に示すように、上記構成である第１ロック機構１００及び第１連動機構１３０により、記録ユニット７に対する読取ユニット８の回動を、「読取モード」が選択されたか否か、カバー部９や読取ユニット８が回動するか否か等の使用状況等に応じて効果的に規制できるので、読取ユニット８の不要な回動による破損を抑制できる。
【００７０】
また、図３及び図８に示すように、第１連動機構１３０は、既存のキャリッジ３０の移動を利用して、第１ロック機構１００の作動状態を切り替える。具体的には、第１連動機構１３０は、キャリッジ３０が副走査方向において図３及び図８に示す所定の停止位置Ｐ２に停止する場合に、第１ロック機構１００を図６及び図１０に示す第１非作動状態から図８及び図９に示す第１作動状態に切り替える。これにより、第１ロック機構１００及び第１連動機構１３０を簡素化できるとともに、第１ロック機構１００を手動操作するためのハンドル等を設ける必要がない。
【００７１】
したがって、実施例１の複合機１では、耐久性の向上と、小型化とを実現できる。
【００７２】
また、この複合機１では、操作パネル７Ｐを介して「読取モード」が選択されたことを契機として、図１１のステップＳ１０２、Ｓ１０３に示すように、制御部Ｃ１がキャリッジ３０を所定の停止位置Ｐ２に移動させる。これにより、第１連動機構１３０が第１ロック機構１００を図８及び図９に示す第１作動状態に切り替える。つまり、「読取モード」が選択されたことで、その後に、ユーザがカバー部９を開放して、支持面８１Ａに原稿をセットする作業が行われることが想定される。この時、第１ロック機構１００が第１作動状態に切り替わっていることで、カバー部９の開放に伴って、読取ユニット８が不要に回動することを抑制できる。
【００７３】
さらに、この複合機１では、ユーザの使用形態によっては、「読取モード」を選択する前に原稿を支持面８１Ａにセットする場合もある。そこで、図４に示すように、カバー部９が第３位置から第４位置に回動する場合、すなわち、カバー部９が開放される場合、図１１のステップＳ１０５、Ｓ１０６に示すように、制御部Ｃ１がキャリッジ３０を所定の停止位置Ｐ２に移動させる。これにより、第１連動機構１３０が第１ロック機構１００を図８及び図９に示す第１作動状態に切り替える。このため、「読取モード」が選択されていない状態でも、カバー部９の開放動作に伴って、読取ユニット８が不要に回動することを抑制できる。
【００７４】
また、この複合機１では、キャリッジ３０が副走査方向に移動して突出部１３１がレバー１１０に当接することにより、レバー１１０を揺動させて係合部１１７を被係合部１０７に係合させる構成を採用しているので、第１連動機構１３０を一層簡素化できる。
【００７５】
さらに、この複合機１では、第１方向及び揺動軸心Ｘ１１０は、左右方向である副走査方向と略平行に延びている。これにより、図５等に示すように、読取ユニット８を第１軸心Ｘ１回りで回動させる力Ｆ１が加わった場合でも、レバー１１０の係合部１１７と被係合部１０７との係合が外れ難い。また、図３及び図８等に示すように、第１ロック機構１００の左右方向の幅を狭くできるので、左右方向においても小型化できる。
【００７６】
また、この複合機１では、レバー１１０の当接面１１５に当接する突出部１３１の傾斜面１３５は、レバー１１０を揺動させるカムとして機能する。このため、レバー１１０をスムーズに揺動させることができる。
【００７７】
さらに、この複合機１では、図４〜図６及び図８に示すように、第１ロック機構１００及び第１連動機構１３０は、複合機１における第１軸心Ｘ１から主走査方向に離れた端部に、すなわち、読取ユニット８及び記録ユニット７の前端部に設けられている。これにより、読取ユニット８を第１軸心Ｘ１回りで回動させる力が加わった場合でも、第１ロック機構１００において、レバー１１０の係合部１１７と被係合部１０７とが係合する状態を好適に維持できる。
【００７８】
（実施例２）
実施例２の複合機は、実施例１の複合機１に係る第１ロック機構１００及び第１連動機構１３０の代わりに、図１２〜図１４に示すように、第２ロック機構２００及び第２連動機構２３０を備えている。そして、制御部Ｃ１は、実施例１に係る図１１の制御プログラムの代わりに、図１５の制御プログラムを実行する。実施例２のその他の構成は、実施例１と同様である。このため、実施例１と同一の構成については同一の符号を付して、説明を省略又は簡略する。
【００７９】
図１２〜図１４に示すように、第２ロック機構２００及び第２連動機構２３０は、複合機１における第１軸心Ｘ１から主走査方向に離れた端部に、すなわち、読取ユニット８及びカバー部９の前端部に設けられている。また、本実施例では、第２ロック機構２００及び第２連動機構２３０は、読取ユニット８及びカバー部９の左端部に設けられている。
【００８０】
第２ロック機構２００は、被係合部２０７とレバー２１０とを含んでいる。
【００８１】
被係合部２０７は、カバー部９の前端部であって、カバー部９の左側面に隣接する位置に配設されている。被係合部２０７は、カバー部９の下面から下向きに突出した後、前向きに屈曲する略鍵爪状の突起である。
【００８２】
レバー２１０は、読取ユニット８の前端部であって、読取ユニット８の左側面に隣接する位置に配設されている。図１２に示すように、レバー２１０の下端部は、スキャナハウジング８０内に設けられた図示しないレバー支持部によって、左右方向に延びる揺動軸心Ｘ２１０周りで揺動可能に支持されている。図１２及び図１４に示すように、スキャナフレーム８７には、開口部８５Ｊが開口している。レバー２１０の上端部は、開口部８５Ｊ内に位置している。図１３に示すように、レバー２１０の上端部は、略鍵爪状に後向きに屈曲している。レバー２１０は、図示しない捻りコイルバネによって、図１３に示すＲ１方向に付勢されている。
【００８３】
図１２に示すように、第２連動機構２３０は、突出部２３１を含んでいる。突出部２３１は、キャリッジ３０から副走査方向と略平行に、すなわち左向きに突出している。キャリッジ３０が図１２に示す所定の停止位置Ｐ２に変位すると、突出部２３１がレバー２１０の下端部に当接してレバー２１０を揺動軸心Ｘ２１０周りに揺動させる。このため、レバー２１０が図１３に示すＲ１方向とは反対方向に揺動し、被係合部２０７に係合する。その結果、第２ロック機構２００は、図１２及び図１３に示す第２作動状態となり、読取ユニット８に対するカバー部９の回動を規制する
【００８４】
その一方、キャリッジ３０が図１２に示す所定の停止位置Ｐ２から右方に離間すると、突出部２３１がレバー２１０の下端部に当接しなくなり、図示しない捻りコイルバネがレバー２１０を揺動軸心Ｘ２１０周りに逆方向に揺動させる。このため、レバー２１０が図１３に示すＲ１方向に揺動し、被係合部２０７から離間する。その結果、第２ロック機構２００が図１４に示す第２非作動状態となり、読取ユニット８に対するカバー部９の回動を許容する。
【００８５】
制御部Ｃ１は、このような構成である第２ロック機構２００及び第２連動機構２３０を図１５に示す制御プログラムによって制御する。複合機１の電源スイッチがＯＮになり、複合機１が起動すると、制御部Ｃ１は、図１５に示す制御プログラムを開始する。
【００８６】
まず、ステップＳ２０１において、キャリッジ３０を図１２に示す待機位置Ｐ０に移動させる。これにより、突出部２３１がレバー２１０の下端部に当接しなくなり、レバー２１０が被係合部２０７から離間する位置に揺動する。その結果、第２ロック機構２００が図１４に示す第２非作動状態に切り替わる。
【００８７】
次に、ステップＳ２０２において、操作パネル７Ｐに対する入力操作や複合機１の稼働状況を参照し、複合機１が「画像形成部のメンテナンスモード」に移行するか否かを判断する。ステップＳ２０２において「Ｙｅｓ」の場合、ステップＳ２０３に移行する。その一方、ステップＳ２０２において「Ｎｏ」の場合、ステップＳ２０４に移行する。
【００８８】
ステップＳ２０２からステップＳ２０３に移行すると、キャリッジ３０を図１２に示す所定の停止位置Ｐ２に移動させる。これにより、突出部２３１がレバー２１０の下端部に当接し、レバー２１０が被係合部２０７に係合する位置に揺動する。その結果、第２ロック機構２００が図１２及び図１３に示す第２作動状態に切り替わる。つまり、複合機１が「画像形成部のメンテナンスモード」となっている場合、記録ユニット７内の画像形成部５をメンテナンスする可能性が高く、読取ユニット８を第１位置から第２位置に回動させる可能性が高い。その一方、読取対象の原稿を支持面８１Ａにセットするためにカバー部９を第３位置から第４位置に回動させる可能性が低い。そして、この際、読取ユニット８が勢いよく回動されること等に伴って、カバー部９が不要に回動するおそれがある。この点、ステップＳ２０３において、第２ロック機構２００が図１２及び図１３に示す第２作動状態に切り替わることにより、カバー部９の不要な回動を抑制できる。そして、ステップＳ２０２に戻る。
【００８９】
一方、ステップＳ２０２からステップＳ２０４に移行すると、読取ユニット開閉センサＳ１の検出信号を参照し、読取ユニット８が第１位置から第２位置に回動するか否かを判断する。ステップＳ２０４において「Ｙｅｓ」の場合、ステップＳ２０５に移行する。その一方、ステップＳ２０４において「Ｎｏ」の場合、ステップＳ２０２に戻る。
【００９０】
ステップＳ２０４からステップＳ２０５に移行すると、キャリッジ３０を図１２に示す所定の停止位置Ｐ２に移動させる。これにより、突出部２３１がレバー２１０に作用し、第２ロック機構２００が図１２及び図１３に示す第２作動状態に切り替わる。つまり、読取ユニット８が第１位置から第２位置に回動される場合に、それに伴って、カバー部９まで回動すると、カバー部９が複合機１の背面にある壁等に当接して、カバー部９、あるいは壁が損傷するおそれがある。この点、ステップＳ２０５において、第２ロック機構２００が図１２及び図１３に示す第２作動状態に切り替わることにより、カバー部９の不要な回動を抑制できる。そして、ステップＳ２０１に戻る。
【００９１】
制御部Ｃ１は、複合機１の電源スイッチがＯＦＦになるまで、図１５に示す制御プログラムを実行する。
【００９２】
実施例２の複合機では、上記構成である第２ロック機構２００及び第２連動機構２３０により、読取ユニット８に対するカバー部９の回動を複合機の使用状況等に応じて効果的に規制できる。よって、カバー部９の不要な回動による破損を抑制できる。
【００９３】
また、第２連動機構２３０が既存のキャリッジ３０の移動を利用して、第２ロック機構２００の作動状態を切り替える。これにより、第２ロック機構２００及び第２連動機構２３０を簡素化できるとともに、第２ロック機構２００を手動操作するためのハンドル等を設ける必要がない。
【００９４】
したがって、実施例２の複合機でも、耐久性の向上と、小型化とを実現できる。
【００９５】
以上において、本発明を実施例１、２に即して説明したが、本発明は上記実施例１、２に制限されるものではなく、その趣旨を逸脱しない範囲で適宜変更して適用できることはいうまでもない。
【００９６】
例えば、操作パネルからの入力に関わらず、外部からの制御信号を制御部Ｃ１が検出し、制御信号によって指定された動作モードに応じて、ロック機構の作動、非作動を切り替える制御を行うように構成されていてもよい。また、第１ロック機構１００及び第２ロック機構２００、第１連動機構１３０及び第２連動機構２３０を設ける位置、形状も上記実施例に限定されるものではない。
【００９７】
所定の停止位置は、実施例１、２に係る所定の停止位置Ｐ２に限定されない。例えば、本発明には、所定の停止位置と待機位置とが一致する構成も含まれる。
【産業上の利用可能性】
【００９８】
本発明は複合機等に利用可能である。
【符号の説明】
【００９９】
１…複合機、８１Ａ…支持面、３…読取部、８…読取ユニット、５…画像形成部
７…記録ユニット、Ｘ１…第１軸心、３Ｅ…読取素子、３Ｓ…センサ（読取センサ）
３０…移動体（キャリッジ）、１００…第１ロック機構、１３０…第１連動機構
Ｐ２…所定の停止位置、Ｃ１…制御部
７Ｐ、Ｓ１、Ｓ２…検出手段（７Ｐ…操作パネル、Ｓ１…読取ユニット開閉センサ、Ｓ２…カバー部開閉センサ）
９…カバー部、Ｘ２…第２軸心、１０７…被係合部、Ｘ１１０…揺動軸心
１１０…レバー、１３１…突出部、１１５…当接面、１３５…傾斜面
２００…第２ロック機構、２３０…第２連動機構
【図１】
2017085491.tif 000003
【図２】
2017085491.tif 000004
【図３】
2017085491.tif 000005
【図４】
2017085491.tif 000006
【図５】
2017085491.tif 000007
【図６】
2017085491.tif 000008
【図７】
2017085491.tif 000009
【図８】
2017085491.tif 000010
【図９】
2017085491.tif 000011
【図１０】
2017085491.tif 000012
【図１１】
2017085491.tif 000013
【図１２】
2017085491.tif 000014
【図１３】
2017085491.tif 000015
【図１４】
2017085491.tif 000016
【図１５】
2017085491.tif 000017